(57)【要約】【課題】放射性医薬品の製造装置に不可欠で重量物である遮蔽体（キャビネット）が大きく重くならないで済む放射性医薬品製造システムを提供することを目的とする。【解決手段】クリーンルーム内で無塵、無菌環境を形成し放射線を遮蔽する遮蔽体であるキャビネット（３）に作業扉（２６）（２７）を設け、既に無菌処理された製品用バイアル瓶（２０）セットを供給する。すなわち、既に無菌状態でガラス瓶（２０１）にゴム栓（２０２）がなされ、アルミ枠（２０３ａ）が取り付けられ、バイアルトレイ（９ｄ）の上に配列された製品用バイアル瓶（２０）セットを、遮蔽体内の所定位置へセットする。各製品用バイアル瓶（２０）には、合成され予備調製され、計測が済んだ１製品分量の放射性医薬品が分注、充填され、その後に、間接容器（２３）に組み込まれて搬出される。【選択図】図２
2006288523.tif 000002
【特許請求の範囲】
【請求項１】
クリーンルームと、このクリーンルーム内で無塵、無菌環境を形成し放射線を遮蔽するキャビネットと、このキャビネットの外部より供給された放射性同位元素をもとに放射性医薬品原料を合成する合成装置と、この合成された１バルク分量の放射性医薬品原料がチューブを介して送られ充填されたバルク用容器の液容量を計測し放射能量を計測するバルク測定装置と、前記計測が終わったバルク用容器から放射性医薬品原料を抽出しチューブを介し供給され、予備調製用の溶剤を供給され予備調製するための予備調製用容器と、前記予備調製用容器から１製品分量の放射性医薬品が充填された予備調製検証用容器の液容量を検証計測し、放射能量を検証計測する予備調製測定装置と、キャビネット内へ製品用バイアル瓶セットを供給するために、既に無菌状態でガラス瓶にゴム栓で密封がなされキャップが付属されたアルミ枠が取り付けられ、輸送トレイの上に配列され包装された製品用バイアル瓶セット及び各容器群を、キャビネットの所定位置へセットするための作業扉と、前記セットされた製品用バイアル瓶セットを移動する搬送手段と、前記予備調製用容器から１製品分量の放射性医薬品を分注する分注装置と、この分注装置からチューブを介して１製品分量の放射性医薬品が供給され製品用バイアル瓶へ充填する充填装置と、前記製品用バイアル瓶を間接容器本体へ挿入し間接容器蓋を組み込む間接容器製造装置と、間接容器製造装置から前記間接容器を前記キャビネットの外へ搬出する搬出手段と、を有してなることを特徴とする放射性医薬品製造システム。
【請求項２】
前記間接容器には、一度開封されると、開封の痕跡が明白に残こるセキュリティー機構が設けられることを特徴とする請求項１に記載の放射性医薬品製造システム。
【請求項３】
各バルク毎に切り換えて使用するため、前記合成装置、前記分注装置、及び前記製品充填装置を複数セット設けたことを特徴とする請求項１、又は２記載の放射性医薬品製造システム。
【請求項４】
クリーンルームと、このクリーンルーム内で無塵、無菌環境を形成し放射線を遮蔽するキャビネットと、このキャビネットの外部より供給された放射性同位元素をもとに放射性医薬品原料を合成する合成装置と、この合成された放射性医薬品原料がチューブを介して送られる充填装置と、この充填装置により穿刺され前記放射性医薬品原料の１バルク分量が充填されるバルク用容器と、この充填が成されたバルク用容器の液容量を計測する天秤と、この充填が成されたバルク用容器の放射能量を計測する放射能量計測装置と、このバルク用容器を前記充填装置の位置から前記天秤の位置、前記放射能量計測装置の位置、及び次の抽出装置の位置へ搬送する搬送装置と、前記バルク用容器に穿刺して内部の放射性医薬品原料を抽出する抽出装置と、この抽出された放射性医薬品原料がチューブを介し穿刺して供給される予備調製用容器と、この予備調製用容器へチューブを介し穿刺して予備調製用の溶剤を供給するための予備調製溶剤用容器と、前記予備調製用容器から分注装置のチューブを介して１製品分量の放射性医薬品が供給される充填装置と、この充填装置から穿刺され１製品分量の放射性医薬品が充填される予備調製検証用容器と、この充填が成された予備調製検証用容器の液容量を検証計測する前記天秤と、この充填が成された予備調製検証用容器の放射能量を検証計測する前記放射能量計測装置と、この予備調製検証用容器を前記充填装置の位置から前記天秤の位置、及び前記放射能量計測装置の位置へ搬送する前記搬送装置と、キャビネット内へ製品用バイアル瓶セット及び各容器群を供給するために、既に無菌状態でガラス瓶にゴム栓で密封がなされキャップが付属されたアルミ枠が取り付けられ、輸送トレイの上に配列され包装された製品用バイアル瓶セットを、内部に入れクリーン環境上にて移動及び同クリーン環境内にて最終包装を解きキャップの除去を行い、キャビネット内で使用するバイアルトレイへの詰め替えを行うバイアルパスユニットと、このバイアルパスユニットが連結される遮蔽体の作業扉と、前記セットされた製品用バイアル瓶を搬送するバイアル搬送装置と、前記搬送によって製品用バイアル瓶が載せられ充填位置へ移動させるバイアルコンベアと、予備調製用容器へチューブを介して穿刺して接続され１製品分量の放射性医薬品を分注する分注装置と、この分注装置からチューブを介して１製品分量の放射性医薬品が供給され製品用バイアル瓶へ充填する充填装置と、前記製品用バイアル瓶を間接容器本体へ挿入し間接容器蓋を組み込む間接容器製造装置と、間接容器製造装置から前記間接容器を前記キャビネットの外へ搬出する搬出手段と、を有してなることを特徴とする放射性医薬品製造システム。
【請求項５】
クリーンルーム内で無塵、無菌環境を形成し放射線を遮蔽するキャビネットと、このキャビネット内部に設けられ、このキャビネットの外部より供給された放射性同位元素をもとに放射性医薬品原料を合成する合成装置と、この合成された１バルク分量の放射性医薬品原料の液容量を計測し放射能量を計測するバルク測定装置と、予備調製用の溶剤を供給され予備調製された後に１製品分量の放射性医薬品の液容量を検証計測し放射能量を検証計測する予備調製測定装置と、前記予備調製された放射性医薬品から１製品分量の放射性医薬品を分注し製品用バイアル瓶に充填し放射能量を計測する連続充填検査装置と、前記製品用バイアル瓶を間接容器へ組み込む間接容器製造装置と、間接容器製造装置から前記間接容器を前記キャビネットの外へ搬出する搬出手段と、を有し、前記キャビネットは、複数が接して配置して構成され、各キャビネットは外殻構造体の内側に遮蔽材が内張りされ、キャビネット外部に向いた面は、内部に収納される放射線源に対し必要な遮蔽材の厚みを有し、互いに隣接する面では、遮蔽材は設けられていないことを特徴とする放射性医薬品製造システム。
【請求項６】
クリーンルーム内で無塵、無菌環境を形成し放射線を遮蔽するキャビネットと、このキャビネット内部に設けられ、このキャビネットの外部より供給された放射性同位元素をもとに放射性医薬品原料を合成する合成装置と、この合成された１バルク分量の放射性医薬品原料の液容量を計測し放射能量を計測するバルク測定装置と、予備調製用の溶剤を供給され予備調製された後に１製品分量の放射性医薬品の液容量を検証計測し放射能量を検証計測する予備調製測定装置と、前記予備調製された放射性医薬品から１製品分量の放射性医薬品を分注し製品用バイアル瓶に充填し放射能量を計測する連続充填検査装置と、前記製品用バイアル瓶を間接容器へ組み込む間接容器製造装置と、間接容器製造装置から前記間接容器を前記キャビネットの外へ搬出する搬出手段と、を有し、前記キャビネットは、複数が接して配置して構成され、各キャビネットは外殻構造体の内側に遮蔽材が内張りされ、キャビネット外部に向いた面は、内部に収納される放射線源に対し必要な遮蔽材の厚みを有し、互いに隣接する面では、互いに隣接するキャビネットの遮蔽材の合計の厚さが、前記放射線源に対し必要な遮蔽材の厚みを満たす範囲で、各キャビネットの各面の厚さを薄くすることを特徴とする放射性医薬品製造システム。  
【発明の詳細な説明】
【技術分野】
【０００１】
この発明は、サイクロトロンなどから送られる放射性同位元素をもとに、放射性医薬品原料を合成し測定し製品用バイアル瓶に充填して出荷する放射性医薬品製造システムに関する。
【背景技術】
【０００２】
放射性医薬品製造は、サイクロトロンなどから送られる放射性同位元素をもとに、試薬などと呼ばれる医薬品原料とともに、合成装置により放射性医薬品原料を合成し、必要な濃度に予備調製し、液量や放射能容量を測定し、医薬容器である製品用バイアル瓶に充填し、放射能量及び外観の品質検査をし、放射線の遮蔽材を有する間接容器に入れて出荷する。
【０００３】
製品用バイアル瓶は、医薬容器として必要な洗浄処理及び無菌処理が施されなければならない。このとき、例えば、バイアル瓶の本体であるガラス瓶、ゴム栓、キャップが付属されたアルミ枠がそれぞれ洗浄処理され滅菌処理が施される。そして、ガラス瓶に医薬品が充填され、ゴム栓が打栓され、キャップが付属されたアルミ枠が取り付けられる。そして、
（１）従来の放射性医薬品製造装置では、放射性医薬品を充填する製品用バイアル瓶の洗浄装置を、製造装置の外郭を構成するキャビネットの一部に設ける。せっかく洗浄した製品用バイアル瓶が空気に触れて汚染するのを防止しなければならないからである。
【０００４】
（２）あるいは、他の従来の放射性医薬品製造装置では、洗浄，滅菌処理した栓なしのバイアル瓶及びゴム栓、アルミ枠を放射性医薬品製造装置へ搬入し、この栓なしのバイアル瓶へ薬液を充填し、その後に、ゴム栓をしてゴム栓の周囲を固定するアルミ枠を取り付けて製品化する。
なお、バイアル瓶への充填装置（下記特許文献１参照）、同瓶からの抽出装置は存在する。
【特許文献１】特開２００１−９９７４５
【０００５】
また、抽出装置に接続され１製品分量の医薬品を正確に分注する分注装置も存在する。
キャビネット（ＪＩＳ K 3800-2000で定義される安全キャビネットのことをいう）は、外殻構造体（鉄板）の内側に遮蔽材（鉛板）が内張りされて構成される。通常は、工程毎に分割された複数個が独立して配置され、その間の放射性医薬品及び放射性医薬品原料の移動は、遮蔽容器に入れて移動する。
【発明の開示】
【発明が解決しようとする課題】
【０００６】
半減期の短い放射性医薬品を医療現場へ搬送するには、搬送時間を短くする必要があり、そのためには放射性医薬品の製造拠点を各地につくる必要がある。各地の製造拠点を実現するには、用地や設備のコストのために、拠点における放射性医薬品製造装置をコンパクトにする必要がある。特に、放射性医薬品の製造装置に不可欠で重量物である遮蔽体（キャビネット）が大きく重くならないようにしなければならない。
【０００７】
この発明は、以上の問題点を解決するために、放射性医薬品の製造装置に不可欠で重量物である遮蔽体（キャビネット）が大きく重くならないで済む放射性医薬品製造システムを提供することを目的とする。
【課題を解決するための手段】
【０００８】
以上の課題を解決するために、第一発明は、クリーンルームである放射性医薬品製造室（３３２）と、このクリーンルーム内で無塵、無菌環境を形成し放射線を遮蔽する遮蔽体を有するキャビネット（１、２、３）と、このキャビネットの外部より供給された放射性同位元素をもとに放射性医薬品原料を合成する合成装置（６）と、この合成された１バルク分量の放射性医薬品原料がチューブを介して送られ充填されたバルク用容器（１７）の液容量を計測し放射能量を計測するバルク測定装置（７）と、前記計測が終わったバルク用容器（１７）から放射性医薬品原料を抽出しチューブを介し供給され、予備調製用の溶剤を供給され予備調製するための予備調製用容器（１８）と、前記予備調製用容器（１８）から１製品分量の放射性医薬品が充填された予備調製検証用容器（１９）の液容量を検証計測し放射能量を検証計測する予備調製測定装置（バルク測定装置（７）兼用）と、製造キャビネット（３）内へ製品用バイアル瓶（２０）セットを供給するために、既に無菌状態でガラス瓶（２０１）にゴム栓（２０２）で密封がなされキャップ（２０３ｂ）が付属されたアルミ枠（２０３ａ）が取り付けられ、バイアルトレイ（９ｄ）の上に配列され梱包された製品用バイアル瓶（２０）セットを、製造キャビネット（３）の所定位置へセットするための作業扉（２６）（２７）と、前記セットされた製品用バイアル瓶（２０）セットの搬送手段となるバイアル搬送装置（９ａ）、バイアルコンベア（９ｂ）と、前記予備調製用容器（１８）から１製品分量の放射性医薬品を分注する分注装置（８）と、この分注装置（８）からチューブを介して１製品分量の放射性医薬品が供給され製品用バイアル瓶（２０）へ充填する充填装置（９ｃ）と、前記製品用バイアル瓶（２０）を間接容器本体（２３ａ）へ挿入し間接容器蓋（２３ｂ）を組み込む間接容器製造装置（１４）と、間接容器製造装置（１４）から前記間接容器（２３）を前記製造キャビネット（３）の外へ搬出する搬出手段となる容器組立コンベア（１４ｃ）と、を有してなることを特徴とする放射性医薬品製造システムである。
【０００９】
第二発明は、さらに、前記間接容器（２３）には、一度開封されると、開封の痕跡が明白に残こるセキュリティー機構が設けられることを特徴とする放射性医薬品製造システムである。
【００１０】
第三発明は、さらに、各バルク毎に切り換えて使用するため、前記合成装置（６）、前記分注装置（８）、及び前記充填装置（９ｃ）を複数セット設けたことを特徴とする放射性医薬品製造システムである。
【００１１】
第四発明は、クリーンルームである放射性医薬品製造室（３３２）と、このクリーンルーム内で無塵、無菌環境を形成し放射線を遮蔽する遮蔽体を有するキャビネット（１、２、３）と、このキャビネットの外部より供給された放射性同位元素をもとに放射性医薬品原料を合成する合成装置（６）と、この合成された放射性医薬品原料がチューブを介して送られる充填装置（７ａ）と、この充填装置（７ａ）により穿刺され前記放射性医薬品原料の１バルク分量が充填されるバルク用容器（１７）と、この充填が成されたバルク用容器（１７）の液容量を計測する天秤（７ｃ）と、この充填が成されたバルク用容器（１７）の放射能量を計測する放射能量計測装置の一実施形態であるドーズキャリブレーター（７ｄ）と、このバルク用容器（１７）を前記充填装置（７ａ）の位置から前記天秤（７ｃ）の位置、前記ドーズキャリブレーター（７ｄ）の位置、及び次の抽出装置（７ｅ）の位置へ搬送する容器搬送装置（７ｂ）と、前記バルク用容器（１７）に穿刺して内部の放射性医薬品原料を抽出する抽出装置（７ｅ）と、この抽出された放射性医薬品原料がチューブを介し穿刺して供給される予備調製用容器（１８）と、この予備調製用容器（１８）へチューブを介し穿刺して予備調製用の溶剤を供給するための予備調製溶剤用容器（２４）と、前記予備調製用容器（１８）から分注装置（８）のチューブを介して１製品分量の放射性医薬品が供給される充填装置（７ｆ）と、この充填装置（７ｆ）から穿刺され１製品分量の放射性医薬品が充填される予備調製検証用容器（１９）と、この充填が成された予備調製検証用容器（１９）の液容量を検証計測する前記天秤（７ｃ）と、この充填が成された予備調製検証用容器（１９）の放射能量を検証計測する前記ドーズキャリブレーター（７ｄ）と、この予備調製検証用容器（１９）を前記充填装置（７ｆ）の位置から前記天秤（７ｃ）の位置、及び前記ドーズキャリブレーター（７ｄ）の位置へ搬送する前記容器搬送装置（７ｂ）と、製造キャビネット（３）内へ製品用バイアル瓶（２０）セットを供給するために、既に無菌状態でガラス瓶（２０１）にゴム栓（２０２）で密封がなされキャップ（２０３ｂ）が付属されたアルミ枠（２０３ａ）が取り付けられ、輸送トレイ（２０８）の上に配列され包装された製品用バイアル瓶（２０）セットを、内部に入れクリーン環境上にて移動及び同クリーン環境内にて最終包装を解きキャップ（２０３ｂ）の除去を行い、製造キャビネット（３）内で使用するバイアルトレイ（９ｄ）への詰め替えを行うバイアルパスユニット（４）と、このバイアルパスユニット（４）が連結される作業扉（２６）（２７）と、前記セットされた製品用バイアル瓶（２０）を搬送するバイアル搬送装置（９ａ）と、前記搬送によって製品用バイアル瓶（２０）が載せられ充填位置（９ｃ）へ移動させるバイアルコンベア（９ｂ）と、予備調製用容器（１８）へチューブを介して穿刺して接続され１製品分量の放射性医薬品を分注する分注装置（８）と、この分注装置（８）からチューブを介して１製品分量の放射性医薬品が供給され製品用バイアル瓶（２０）へ充填する充填装置（９ｃ）と、前記製品用バイアル瓶（２０）を間接容器本体（２３ａ）へ挿入し間接容器蓋（２３ｂ）を組み込む間接容器製造装置（１４）と、間接容器製造装置（１４）から前記間接容器（２３）を前記製造キャビネット（３）の外へ搬出する搬出手段となる容器組立コンベア（１４ｃ）と、を有してなることを特徴とする放射性医薬品製造システム。
【００１２】
第五発明は、クリーンルームである放射性医薬品製造室（３３２）内で無塵、無菌環境を形成し放射線を遮蔽する遮蔽体を有するキャビネット（１、２、３）と、このキャビネットの内部に設けられ、このキャビネットの外部より供給された放射性同位元素をもとに放射性医薬品原料を合成する合成装置（６）と、この合成された１バルク分量の放射性医薬品原料の液容量を計測し放射能量を計測するバルク測定装置（７）と、予備調製用の溶剤を供給され予備調製された後に１製品分量の放射性医薬品の液容量を検証計測し放射能量を検証計測する予備調製測定装置（バルク測定装置（７）兼用）と、前記予備調製された放射性医薬品から１製品分量の放射性医薬品を分注し製品用バイアル瓶（２０）に充填し放射能量を計測する連続充填検査装置（９）と、前記製品用バイアル瓶（２０）を間接容器（２３）へ組み込む間接容器製造装置（１４）と、間接容器製造装置（１４）から前記間接容器（２３）をキャビネットの外へ搬出する搬出手段となる容器組立コンベア（１４ｃ）と、を有し、
前記遮蔽体は、複数の遮蔽体を有するキャビネット（１，２，３）が接して配置して構成され、各キャビネットは外殻構造体の内側に遮蔽材が内張りされ、キャビネット外部に向いた面は、内部に収納される放射線源に対し必要な遮蔽材の厚みを有し、互いに隣接する面では、遮蔽材は設けられていないことを特徴とする放射性医薬品製造システムである。
【００１３】
第六発明は、クリーンルームである放射性医薬品製造室（３３２）内で無塵、無菌環境を形成し放射線を遮蔽する遮蔽体を有するキャビネット（１、２、３）と、このキャビネット内部に設けられ、このキャビネットの外部より供給された放射性同位元素をもとに放射性医薬品原料を合成する合成装置（６）と、この合成された１バルク分量の放射性医薬品原料の液容量を計測し放射能量を計測するバルク測定装置（７）と、予備調製用の溶剤を供給され予備調製された後に１製品分量の放射性医薬品の液容量を検証計測し放射能量を検証計測する予備調製測定装置（バルク測定装置（７）兼用）と、前記予備調製された放射性医薬品から１製品分量の放射性医薬品を分注し製品用バイアル瓶（２０）に充填し放射能量を計測する連続充填検査装置（９）と、前記製品用バイアル瓶（２０）を間接容器（２３）へ組み込む間接容器製造装置（１４）と、間接容器製造装置（１４）から前記間接容器（２３）をキャビネットの外へ搬出する搬出手段となる容器組立コンベア（１４ｃ）と、を有し、
前記遮蔽体は、複数の遮蔽体を有するキャビネット（１，２，３）が接して配置して構成され、各キャビネットは外殻構造体の内側に遮蔽材が内張りされ、キャビネット外部に向いた面は、内部に収納される放射線源に対し必要な遮蔽材の厚みを有し、互いに隣接する面では、互いに隣接するキャビネットの遮蔽材の合計の厚さが、前記放射線源に対し必要な遮蔽材の厚みを満たす範囲で、各キャビネットの各面の厚さを薄くすることを特徴とする放射性医薬品製造システムである。
【発明の効果】
【００１４】
［１］第一、第二、第三、又は第四発明によれば、既に無菌状態で包装された製品用バイアル瓶（２０）セットの最終包装を解き、放射性医薬品製造システムの所定位置へセットすることで、以下の（１）（２）の効果を得られる。
（１）従来技術（１）との比較においては、医薬容器としての製品用バイアル瓶の洗浄・滅菌装置を遮蔽体（キャビネット）内部に設ける必要が無いので製造装置の遮蔽体（キャビネット）をコンパクトにできる。
【００１５】
すなわち、従来技術（１）では洗浄・滅菌装置を各製造拠点の放射性医薬品製造システム毎に設けねばならず、この洗浄・滅菌装置から搬出される医薬容器は外部環境に触れると再び汚染するので、放射性医薬品が存在する無塵、無菌環境を形成する遮蔽体（キャビネット）内部に洗浄・滅菌装置を設ける必要がある。一般的に洗浄・滅菌装置は大規模になるので、重量物である遮蔽体（キャビネット）全体、つまり放射性医薬品製造システム全体も大型化してしまう。
【００１６】
これに対し、この発明は、洗浄・滅菌機能装置を分離し、製造拠点とは別の場所に集約でき、よって各放射性医薬品製造システムをコンパクトにできる。
（２）また、従来技術（２）では、容器製造に関わる設備を製造拠点に設ける必要はないものの、洗浄，滅菌処理し搬入したゴム栓なしのバイアル瓶へ薬液を充填し、その後に、ゴム栓をしてアルミ枠を取り付けて密封され製品化することになる場合に、その取付作業は、やはり放射性医薬品が存在する無塵、無菌環境内で行わなければならない。その取付作業に必要な装置や作業スペースが必要となり、重量物である遮蔽体（キャビネット）全体、つまり放射性医薬品製造システム全体も大型化してしまう。
【００１７】
さらに、栓なしのバイアル瓶の内部をその取付作業を行う周辺の空気にさらすことになり、取付作業を行う周辺環境の管理レベルを高くしなければならない。
これに対し、この発明は、ゴム栓をしてアルミの枠を取り付ける作業を、他の施設（工場）で予め完成しているため、放射性医薬品製造システム内で行う必要がなく、その作業に必要な装置や作業スペースが必要なく、したがって重量物である遮蔽体（キャビネット）全体、つまり放射性医薬品製造システム全体を大型化してしまうことを防げる。
また、バイアル瓶は栓が設けられた状態で作業が行われ、バイアル瓶の内部を遮蔽体（キャビネット）内の空気にさらすことがなく、遮蔽体（キャビネット）内の無塵、無菌を含む環境管理が容易となる。
【００１８】
［２］第二、又は第三発明によれば、更に、ゴム栓には穿刺の後が残るが、輸送容器である間接容器のセキュリティー機構によって封をされるので、改ざんを疑われる可能性は無くせる。
［３］第三発明によれば、更に、所定期間内に放射性医薬品原料を合成するバルク回数の数だけの各装置および各チューブを、あらかじめキャビネット（１，２，３）内に準備し、バルク毎に切り換えて使用することで、各装置および各チューブの取り換えに伴う汚染及び塵埃の発生を防ぎ、またシステム運転の休止が短縮され、運転の効率がよくなる。
【００１９】
［４］第四発明によれば、更に、使用する容器のうち製品用バイアル瓶（２０）を除く他の容器（バルク用容器（１７），予備調製用容器（１８），予備調製検証用容器（１９）に関しても、洗浄して閉じたバイアル瓶を穿刺接続して用いることで、システムの製造コストを安くできる。これに対して仮に、チューブと一体化した閉じた専用の容器を用いる場合には、この専用容器の開発費、さらに、充填装置、抽出装置、分注装置との接続装置の開発費が必要になってしまう。
【００２０】
また、バルク用容器（１７）と予備調製検証用容器（１９）の液容量と放射能量を計測するのに、同じ電子天秤（７ｃ）と、放射能量計測装置の一実施形態としてのドーズキャリブレーター（７ｄ）と、容器搬送装置（７ｂ）と、を兼用するので、装置コストが抑えられる。
また、包装された製品用バイアル瓶（２０）セットの最終包装を解くのに、キャビネット（３）に必要時に連結し、未使用時は分離除去することが出来るバイアルパスユニット（４）を用いるので、以下の効果が得られる。
すなわち仮にバイアルパスユニット（４）を用いないとすると、製造キャビネット（３）に対し隣接する作業室が必要となる。そして、前記の作業スペースおよび、梱包を解く際の塵埃の拡散の防止のためシャッター等による隔壁を有した作業室を分離する必要あるため、その機構やスペースを確保する必要がある。しかし、バイアルパスユニット（４）を用いることで、その作業室の必要が無くなるので放射性医薬品製造システムの大きさを小さくでき、機動性に優れ作業能率が上がる。
【００２１】
［５］第五又は第六発明によれば、キャビネットを複数個独立して配置する場合に比べ、遮蔽材を一部無くし、又は薄くできるので、キャビネットの重量を軽くできる。
【発明を実施するための最良の形態】
【００２２】
この発明の実施形態を、図１から図９Ｅに示す。
まず、図２から図７において、実施形態に係る放射性医薬品製造システムの中心となり、キャビネット（１，２，３）により形成される無塵、無菌環境内に設けられる装置を説明する。
【００２３】
（装置の全体概略）
図２に示すように、放射性医薬品を製造するために、製造スペースは、放射性医薬品及び放射性医薬品原料の飛散及びガス化による拡散に備え、取り扱う物質を外部へ漏らさない構造体、すなわちキャビネット（ＪＩＳ K 3800-2000で定義される安全キャビネットのことをいう）（１，２，３）で囲われている。また、無塵、無菌環境とするために、空調装置（Ｆ１）により高いクリーン度（ＩＳＯ基準のクラス１００）が維持される。この無塵、無菌環境を形成するキャビネット（１，２，３）は、製造の各工程ごとに３つが設けられる。
【００２４】
すなわち、放射性医薬品原料を合成する際に必要な医薬品原料（試薬）を定量分注し供給する試薬装置（５）及び放射性医薬品原料を合成する合成装置（６）が配置された試薬合成キャビネット（１）、合成された放射性医薬品原料の１バルク分量（一度に合成される分量を１バルク分量という）の放射能量及び液量の計測などをおこなうバルク測定装置（７）などが配置されたバルクキャビネット（２）、１バルク分量の放射性医薬品を予備調製した後に１製品分量ごとに分注する分注装置（８）、分注した後に製品用バイアル瓶（２０）への充填を連続して行う連続充填検査装置（９）、製品用バイアル瓶（２０）を間接容器（２３）へ組み込む間接容器製造装置（１４）などが配置された製造キャビネット（３）である。なお、製造キャビネット（３）には、間接容器本体搬送台車（１０）が固定される間接容器本体供給装置（１１）や、間接容器蓋搬送台車（１２）が固定される間接容器蓋供給装置（１３）が連結される。
【００２５】
製品用バイアル瓶（２０）が組み込まれた間接容器（２３）は、キャビネット（１，２，３）の外の製品梱包設備（２１）で梱包される。
これらのキャビネット（１，２，３）は、よりクリーン度の低い（ＩＳＯ基準のクラス１００００）クリーンルーム内に配置される。作業員は、主にキャビネット（１，２，３）の外側のクリーンルーム内で作業を行う。
【００２６】
また、このクリーンルーム内には、バイアルパスユニット（４）が存在し、キャビネット（２，３）内へ供給される各容器（１７），（１８），（１９），（２０）がバイアルパスユニット（４）のチャンバー（４ｃ）内で最終包装を解かれ、キャビネット（２，３）に連結して、各容器（１７），（１８），（１９），（２０）を供給する。
【００２７】
キャビネット（１，２，３）の空調状態は、内部の放射性物質を含む内部で取り扱う物質が外部に漏れないようにする必要上、陰圧である。バイアルパスユニット（４）のチャンバーの空調状態は、手作業中に発生する塵埃を速やかに外部に排出するために、陽圧である。
また、これらのキャビネット（１，２，３）が配置されるクリーンルームの外部に接して、供給する各容器（１７），（１８），（１９），（２０）の包装を中程度まで解くなどの準備作業をする部屋が設けられる。
また、これらのキャビネット（１，２，３）が配置されるクリーンルームの外部に、放射性同位元素（液体として）を製造する装置であるサイクロトロン（２２）（図１参照）が、設けられる。このサイクロトロン（２２）は、図示しない別の遮蔽体からなる部屋の中に配置される。製造された放射性同位元素は、床下ピット（３４７）にてチューブを介して送られる。
【００２８】
（キャビネット）
図２、図６Ａ、図６Ｂに示すように、キャビネット（１，２，３）は安全キャビネット（ＪＩＳ K 3800-2000で定義される安全キャビネットのことをいう）の条件を備え、放射線を遮蔽する遮蔽材を有し、側面には、内部を見られる鉛ガラス窓（２８）と、作業員の腕が入る左右の作業扉（２６），（２７）が設けられる。これらの鉛ガラス窓（２８）と左右の作業扉（２６），（２７）の組は、各キャビネット（１，２，３）に所定間隔で設けられる。
【００２９】
「キャビネットの隣接設置による軽量・小型化について」
キャビネット（１，２，３）（ＪＩＳ K 3800-2000で定義される安全キャビネットのことをいう）は、外殻構造体（鉄板）の内側に遮蔽材（鉛板）が内張りされて構成される。
【００３０】
従来では、図２（２）に示すように複数個が独立して配置され、その間の放射性医薬品及び放射性医薬品原料の移動は、各容器の応じた遮蔽体に入れて移動するような独立使用に対し、この実施形態（図２（３））のように隣接して使用することで、キャビネットの軽量化、小型化が図れる。以下、説明する。
【００３１】
試薬合成キャビネット（１）は、サイクロトロン（２２）から輸送された放射性同位元素を受け、試薬を原料として放射性医薬品原料を合成する合成装置（６）及び、前記試薬を分注供給する試薬装置（５）が配置されるので、収納される放射能量値が最も高い。この放射能量に応じて、試薬合成キャビネット（１）の外殻構造体（鉄板１ａ）の内側に、遮蔽材（鉛板１ｂ）が内張りされる。
【００３２】
バルクキャビネット（２）では、合成後の放射性医薬品原料の容量（液量、放射能量）及び予備調製後の検定を行うので、試薬合成キャビネット（１）に対し、経時減衰によって、収納する放射能量は試薬合成キャビネット（１）との比較では低いこととなるものの、依然として高い放射能量が存在する。バルクキャビネット（２）の外殻構造体（鉄板２ａ）の内側に、遮蔽材（鉛板２ｂ）が内張りされる。
【００３３】
製造キャビネット（３）では、予備調製用容器（１８）による予備調製、製品用バイアル瓶（２０）への分注充填，及び間接容器（２３）への挿入・組み込みを行うが、予備調製用容器（１８）は専用の遮蔽材である予備調製用遮蔽体（９ｇ）に収納され、また分注された放射性医薬品は遮蔽機能を有する間接容器（２３）に収納される。
【００３４】
つまり製造キャビネット（３）は内に局所の遮蔽を有し、他のキャビネット（試薬合成キャビネット（１），バルクキャビネット（２））の様に１バルク分の全ての放射性医薬品原料が露出する事が無いため、遮蔽材は、他のキャビネットより低い能力でよい。よって、製造キャビネット（３）の外殻構造体（鉄板３ａ）の内側に、内張りされる遮蔽材（鉛板３ｂ）は比較上で薄くてすむ。
尚、製造キャビネット（３）において扱われる放射性医薬品は、放射性医薬品原料が予備調製されて濃度が数十分の１まで希釈された状態のものであるので、他のキャビネットで扱われる放射性医薬品原料と比較すると放射能量が低い事も、製造キャビネット（３）に必要とされる遮蔽材（鉛板３b）が他のキャビネットより薄くてすむ理由となる。
【００３５】
図２（２）、図２（３）で、試薬合成キャビネット（１）内の放射線源Ａ（放射性同位元素、放射性医薬品原料）に対し、キャビネット周辺の作業者への必要な遮蔽材の厚みをｔＡとする。同じく、バルクキャビネット（２）内の放射線源Ｂ（放射性医薬品及び放射性医薬品原料）に対し、バルクキャビネット（２）周辺の作業者への必要な遮蔽材の厚みをｔＢとする。同じく製造キャビネット（３）内の放射線源Ｃ（放射性医薬品）に対し、製造キャビネット（３）周辺の作業者への必要な遮蔽材の厚みをｔＣとする。
【００３６】
さて、図２（３）に示すように、遮蔽材が必要なキャビネット（１，２，３）を互いに隣接させることで、隣接する面における遮蔽材は無用になり、省略できる。すなわち、キャビネット（１，２，３）の外部に向いた面は、遮蔽材の厚みをｔＡ、ｔＢ、ｔＣが必要であるが、お互いに隣接する面では、人員が通過することが無くまた装置の稼動中に内部においても立ち入ることが無いため、放射線は貫通することが許され、遮蔽材は無用である。そして貫通した先で、隣接するキャビネットの外部に向いた面の遮蔽材で遮蔽される。この隣接するキャビネットの外部に向いた面の遮蔽材の厚さが薄くても、貫通してきた放射線の強さは、距離の２乗に反比例するので十分に遮蔽できる。
【００３７】
このように遮蔽材が省略されうることにより、キャビネット（１，２，３）は大幅な軽量化が可能となる。また、キャビネットサイズとしても削除した遮蔽材の容積分として小型化となり、設備製作コストの低減となる。
なお、以上の図２（３）では、キャビネット（１，２，３）を互いに隣接させ、隣接する面における遮蔽材を省略するものであったが、図２（４）に示すように、遮蔽材をある程度、残すことも可能である。すなわち、キャビネット（１，２，３）で必要な遮蔽材の厚みをｔＡ、ｔＢ、ｔＣを水平面内で全周に一様に残すのではなく、互いに隣接するキャビネット（１，２，３）の合計の厚さが、ｔＡ、ｔＢ、ｔＣを満たす範囲で、厚さを薄くし、その分だけ、軽量化、小型化を図るものである。
【００３８】
このようにすることで、キャビネット内でメンテナンス等の内部作業が発生した際に、各キャビネット（１，２，３）が独立した遮蔽機能を有することは有利なことである。
すなわち、キャビネットに放射線源が収納された状態では、そのキャビネットの内部作業を行うことはできないが、隣接するキャビネットに放射線源が存在する状態での内部作業が可能となる。そのため、隣接キャビネットが独立した遮蔽機能を有せば、そのキャビネット内の内部作業が可能となる。キャビネットの小型・軽量化の効果は低くなるが、実際の放射性医薬品の製造システムとしては理想形態と思われる。
【００３９】
（空調装置Ｆ１）
キャビネット（１，２，３）に備えられる空調装置Ｆ１（図５参照）には、ＨＥＰＡフィルターが使用され、塵埃を除去し、庫内を清浄化する。また、ファンユニットを付属し空気の循環及び排気を行う。
【００４０】
（バイアルパスユニット（４））
各容器（１７），（１８），（１９），（２０）を各キャビネット（２，３）へ搬送し、内部で最終包装を解き、キャビネット（２，３）内へ手作業で挿入するためのもので、内部のクラス１００のクリーン度を維持するために、バッテリー搭載にて、搬送途中もクリーン化用の空調装置（Ｆ２）を運転する。
【００４１】
すなわち図６C、図６Aに示すように、バイアルパスユニット（４）は、車輪（４a）によって移動できる台車（４b）の上に搭載された四角形のチャンバー（４c）を備え、このチャンバー（４c）内に包装された容器（１７），（１８），（１９），（２０）が入れられる。このチャンバー（４c）の上には、チャンバー（４c）内を陽圧のクリーンな状態に保つための空調装置(Ｆ２)を備え、また台車(４ｂ)内部にはバッテリを含む空調装置（Ｆ２）の電気回路が収納される。
【００４２】
この空調装置（Ｆ２）は、室内の空気をファンによって吸い込み、フィルターによってクリーンな状態にしてチャンバー（４c）内に吹き出す。
チャンバー（４c）の前面はキャビネット（２，３）への接続のための連結筒（４d）が設けられ、先端には連結時に開く蓋（４e）が備えられる。この接続と蓋（４e）の開閉は手動で行われる。チャンバー（４c）の左右側面と背面はビニールカーテン（４f）が設けられ、作業員の手がある程度自由に入る。チャンバー（４c）の内部は陽圧であり、容器（１７），（１８），（１９），（２０）の包装を解く作業で発生する塵埃は、チャンバー（４c）内部より速やかに放出される。前記の機能により、多重包装されて搬入された製品用バイアル瓶（２０）セットにて、最終包装を解いた後に、キャビネット（２，３）に直接連結することで滅菌、無塵を維持した状態で、且つ最小のスペースにて製品用バイアル瓶（２０）セットを搬送及び供給することができる。
【００４３】
（バルク測定装置（７））
図２、図５に示すように、バルク測定装置（７）は、１バルク分量の放射性医薬品原料、あるいは予備調製された１製品分量の放射性医薬品が充填された容器（１７），（１９）を各計測器（７ｃ），（７ｄ）へ搬送し計測を行なう一連の装置を有する。さらには容器（１７），（１９）のチューブによる輸送を行うために、チューブに設けられた針による穿刺接続によって、各容器（１７），（１９）への充填や抽出を行う装置からなる。
【００４４】
充填装置（７ａ）は、図３に示すようにバルク用容器（１７）へ穿刺接続し、１バルク分量の放射性医薬品原料を充填し、合成装置（６）とチューブ（Ｔ３）で接続されている。
容器搬送装置（７ｂ）は、図５に示すように、２軸の装置で容器（１７），（１９）の搬送を行なう。１軸（７ｂ２）は、容器（１７），（１９）をチャックし、重量（溶液量）を計測する電子天秤（７ｃ）、放射能量を計測する装置の１実施形態であるドーズキャリブレーター（７ｄ）へ輸送する。他１軸（７ｂ１）は前記ドーズキャリブレーター（７ｄ）内にて容器（１７），（１９）を上下移動（最下点が計測上の規定位置）させる。
【００４５】
抽出装置（７ｅ）は、バルク用容器（１７）より１バルク分量の放射性医薬品原料を抽出するもので、チューブ（Ｔ６）で予備調製用容器（１８）に接続される。
充填装置（７ｆ）は、予備調製検証用容器（１９）へ予備調製された１製品分量の放射性医薬品を充填するもので、チューブ（Ｔ９）、分注装置（８）、及びチューブＴ８を介して予備調製溶剤用容器（２４）と接続される。
シールド搬送装置（７ｇ）は、バルク用容器（１７）を収納するバルク用遮蔽体（７ｈ）、予備調製検証用バイアル瓶（１９）を収納する予備調製検証用遮蔽体（７i）（図３参照）を、各充填装置（７ａ），（７ｆ）、抽出装置（７ｅ）の位置へ移動させる。及び、容器搬送装置（７ｂ）のチャック位置への移動も行う。
【００４６】
分注装置（８）は、予備調製された放射性医薬品を分注、すなわち定量ずつ抽出し圧送する。予備調製の補助機能も果たす。
【００４７】
（連続充填検査装置（９））
図２に示すように、連続充填検査装置（９）は、製品用バイアル瓶（２０）へ予備調製された１製品分量の放射性医薬品を、連続的に充填し、その後に各製品用バイアル瓶（２０）の計測及び検査を行う一連の装置である。
【００４８】
このうち、バイアル搬送装置（9ａ）は、製品用バイアル瓶（２０）のバイアルトレイ（９ｄ）を載せて移動するバイアルトレイ移動装置と、バイアルトレイ（９ｄ）から製品用バイアル瓶（２０）を１個毎バイアルコンベア（9ｂ）へ搬送するバイアル搬送ロボットとを有する。またバイアルコンベア（9ｂ）は製品用バイアル瓶（２０）を充填位置（９c）へ移送する。
【００４９】
充填装置（9ｃ）は、分注装置（８）とチューブ（Ｔ１０）で接続されており、１製品分量の放射性医薬品を製品用バイアル瓶（２０）へ充填する。
バイアルトレイ（9ｄ）は、製品用バイアル瓶（２０）を収納するトレイで、バイアルパスユニット（４）から手動にてバイアル搬送装置（９a）へ着脱する。
放射能量センサー（９ｅ）は、充填された製品用バイアル瓶（２０）の放射能量を計測する。
外観検査補助装置（９ｆ）は、製品用バイアル瓶（２０）の容器表面及び透明な容器を通して内部の放射性医薬品の外観の検査を行うための補助装置で、作業者が製造キャビネット（３）の外から遮蔽ガラス窓経由にて目視検査する。
【００５０】
（穿刺接続）
図２における各容器と充填装置、抽出装置、またはチューブとの接続は、穿刺接続によって行われる（図５参照）。穿刺接続は、容器のゴム栓に、チューブの先などに取り付けられた針が穿刺されて行われる。同時に、容器内部の空気を抜くための別の針も穿刺される。
【００５１】
（間接容器本体搬送台車（１０））
図２、図４に示すように、間接容器本体搬送台車（１０）は、複数の間接容器本体（２３ａ）を収納し手動にて搬送する台車であり、間接容器本体供給装置（１１）に位置決め固定され、間接容器本体供給装置（１１）の一部として機能する。
【００５２】
（間接容器本体供給装置（１１））
図２、図４に示すように、間接容器本体供給装置（１１）は、間接容器本体（２３ａ）を間接容器製造装置（１４）へ１個毎に供給する一連の装置である。
このうち、台車固定装置（１１ａ）は間接容器本体搬送台車（１０）を位置決め固定するためのものである。本体搬送装置（１１ｂ）は、間接容器本体（２３ａ）を間接容器本体搬送台車（１０）より、１個毎にピックアップし本体供給コンベア（１１c）へ移送する。本体供給コンベア（１１ｃ）は、製造キャビネット（３）内の間接容器製造装置（１４）へ間接容器本体（２３ａ）を搬送する。
【００５３】
（間接容器蓋搬送台車（１２））
図２、図４に示すように、間接容器蓋搬送台車（１２）は、間接容器蓋（２３b）を収納し手動にて搬送する台車であり、間接容器蓋供給装置（１３）に位置決め固定され、間接容器蓋供給装置（１３）の一部として機能する。
【００５４】
（間接容器蓋供給装置（１３））
図２、図４に示すように、間接容器蓋供給装置（１３）は、間接容器蓋（２３b）を間接容器製造装置（１４）へ１個毎に供給する一連の装置である。
このうち、台車固定装置（１３ａ）は、間接容器蓋搬送台車（１２）を位置決め固定するためのものである。蓋搬送装置（１３ｂ）は間接容器蓋（２３b）を間接容器蓋搬送台車（１２）より、間接容器蓋（２３b）を１個毎にピックアップし蓋供給コンベア（１３c）へ移送する。蓋供給コンベア（１３c）は、製造キャビネット（３）内の間接容器製造装置（１４）へ間接容器蓋（２３b）を搬送する。
【００５５】
（間接容器製造装置（１４））
図２に示すように、間接容器製造装置（１４）は、放射性医薬品が充填された製品用バイアル瓶（２０）を間接容器（２３）へ組み込み、間接容器（２３）を組み立てる一連の装置である。
このうち、本体供給装置（１４ａ）は、本体供給コンベア（１１c）上の間接容器本体（２３ａ）をピックアップし容器組立コンベア（１４ｃ）上に移送する。バイアル移送装置（１４ｂ）は、バイアルコンベア（９ｂ）上の製品用バイアル瓶（２０）をピックアップし容器組立コンベア（１４ｃ）上の間接容器本体（２３ａ）に移送し挿入する。
【００５６】
容器組立コンベア（１４ｃ）は、間接容器（２３）を搬送する。蓋供給装置（１４ｄ）は、蓋供給コンベア（１３ｃ）上の間接容器蓋（２３ｂ）をピックアップし容器組立コンベア（１４ｃ）上の間接容器本体（２３ａ）に組み込む。
【００５７】
組立てられた間接容器（２３）に関しては、間接容器内に遮蔽材（鉛）が入っていること、及び、間接容器本体（２３a）と間接容器蓋（２３b）が確実に閉まっていることを確認し、表示材料貼付装置（１５）にて表示材料（１６）を貼付して搬送装置（コンベア）（２１a）へ排出する。
【００５８】
（容器）
この実施形態の放射性医薬品製造システムでは、放射性医薬品及び放射性医薬品原料を充填する容器として、複数の容器（１７），（１８），（１９），（２０），（２４）が使われる。
すなわち、合成装置（６）にて製造された１バルク分量の放射性医薬品原料を充填するバルク用容器（１７）、１バルク分量の放射性医薬品原料を予備調製する大きな容量の予備調製用容器（１８）、予備調製結果を計測し検証するため、１製品分量を充填する、製品用バイアル瓶と同じ容量の予備調製検証用容器（１９）、予備調製した放射性医薬品を充填し製品として出荷する製品用バイアル瓶（２０）、予備調製の溶媒を入れる予備調製溶剤用容器（２４）である。
【００５９】
（製品用バイアル瓶（２０）の包装、梱包）
図７に示すように、製品用バイアル瓶（２０）の包装、梱包は、５段階になされる。
すなわち、製品用バイアル瓶（２０）を構成するガラス瓶（２０１）の口部に設けられたゴム栓（２０２）が露出し、穿刺による放射性医薬品の充填が行える医薬品充填環境が最終状態（同図（Ａ））である。この複数のバイアル瓶（２０）に輸送トレイ（２０８）の上に配列されたのが第一段階（同図（Ｂ））である。このようにバイアル瓶（２０）が輸送トレイ（２０８）の上に配列され、前記ゴム栓（２０２）を固定しているアルミ枠（２０３a）にキャップ（２０３b）が付いた状態を第１のビニール袋（２０４）が覆い、医薬品製造上の管理環境内で取り扱われるのが第二段階（同図（Ｃ））である。
その上から更に第２のビニール袋（２０５）が覆い、資材としての管理環境内で取り扱われるのが第三段階（同図（Ｄ））である。  
【００６０】
前記資材としてのものが複数トレイ分並べられて第３のビニール（２０６）が覆い、一般の室内環境で扱われるのが第四段階（同図（Ｅ））である。これらが、複数重ねられて段ボール箱（２０７）に梱包され、室外の輸送空間で扱われるのが第五段階（同図（Ｆ））である。
なお、キャップ（２０３b）は、ゴム栓の針刺通部分（表面）への異物が付着したり、接触したり、塵埃や異物等による汚染が生じるのを防止するためのものである。材質は、アルやプラスチックなどが用いられる。アルミ製の場合には、アルミ枠（２０３a）と一体で、バイアル瓶（２０）に取り付けられる。使用時には、アルミ枠（２０３a）から切り離す（破壊する）ことで分離・除去される。プラスチック製の場合には、カシメやインサート成型等でアルミ枠と一体化し、アルミ製の場合と同様に、切り離す事で分離・除去する。共に分離後は元に戻らない。
バイアル単品で取り扱う際に汚染防止の効果を求めるものであり、医薬品製造上の適正環境下では必須ではなく、この実施形態では間接容器（２３）に収納する事で、キャップ（２０３b）に求められる汚染防止の効果を間接容器にて果たす。
【００６１】
（装置のセット数）
図３に示すように、この実施形態では、チューブ（Ｔ１）、試薬装置（５）、チューブ（Ｔ２）、合成装置（６）、チューブ（Ｔ３）、チューブ（Ｔ８）、分注装置（８）、チューブ（Ｔ９）、チューブ（Ｔ１０）、充填装置（９ｃ）を1セット設けているが、一度に合成される分量を１バルクとし、そのバルク数に応じて複数セットを設けて、1バルクごとに切り換えて使用してもよい。
【００６２】
（間接容器２３）
図４、図４（２）に示すように、間接容器（２３）は、放射性医薬品用輸送用の容器であり、遮蔽材として鉛材が使用され、間接容器本体（２３ａ）に、間接容器蓋（２３ｂ）がなされる。間接容器蓋（２３ｂ）には製品として出荷された後に、一度開封されると、開封の痕跡を明白に残すためのセキュリティー機構が設けられる。
【００６３】
このセキュリティー機構は、単に、間接容器本体（２３ａ）と間接容器蓋（２３ｂ）との間にまたがって貼付けられるシール材やテープ材でもよい。
あるいは、間接容器蓋（２３ｂ）は、プラスチック製とし、縁部全周に帯状のセーフティーバンドを設け、開封の際にはこのセーフティーバンドを縁部から引き切ってのみ取り除くことができるセキュリティー機構としてもよい。このような技術として例えば、特許第３３５７４６４号に記載された技術がある。
【００６４】
（製品梱包設備（２１））
製品梱包設備（２１）は、製品用バイアル瓶（２０）が組み込まれた間接容器（２３）を、出荷箱に収納し梱包する。
【００６５】
（無塵、無菌環境を要す放射性医薬品製造工場、および医薬容器製造工場の概略説明）
次に、図１に示すように、この実施形態に係る放射性医薬品製造システム（３００）を構成するキャビネット（１，２，３）は、クリーンルームである放射性医薬品製造室（３３２）内に収容されている。
このクリーンルーム（放射性医薬品製造室（３３２））は放射性医薬品製造工場（３０２）の建物の中に設けられる。そして、放射性医薬品製造システム（３００）がある放射性医薬品製造工場（３０２）とは、全く別の場所に、例えば全国で１箇所に、製品用バイアル瓶セットである医薬容器を製造する医薬容器製造工場（３０１）が存在する。医薬容器製造工場（３０１）からは屋外輸送経路（３０３）を通って医薬容器が輸送され放射性医薬品製造工場（３０２）へ搬入される。
【００６６】
以下、医薬容器製造工場（３０１）と放射性医薬品製造工場（３０２）との説明を行う。
（１）医薬容器製造工場（３０１）
医薬容器製造工場（３０１）において、人員の入退出口（３０４）を入ると、玄関ホール（３０５）の奥に、施設内専用の下足及び作業衣（白衣  等）に着替える更衣室（３０６）があり、次の管理廊下（３０７）ヘ通じる。
【００６７】
管理廊下（３０７）は、クリーン度がクラス１００，０００程度のクリーン環境管理がなされ、人員・資材・製品が通過する。
管理廊下（３０７）から入室できる更衣室（３０８）は、医薬容器製造に適した環境となるクリーンルーム用の作業衣（無塵衣）及び専用靴を装着する場所である。その奥のエアーシャワー（３０９）では、作業者の付着塵埃を除去する。
【００６８】
医薬容器製造室（３１０）は、クラス１０，０００程度のクリーン環境管理がなされ、医薬容器の製造装置の運用に適した周辺環境となっている。
入出庫口（３１１）は、医薬容器を構成する資材及び完成した製品（医薬容器）の入出庫がなされる。この扉を入ると、除塵室（３１２）があり、資材の外周梱包材（ダンボール箱等）の除去を含む、付着塵埃の除去の予備作業を行う。この入出庫口（３１１）の屋内と野外の2つの扉は同時開放せず、クリーン環境の隔壁となる。除塵室（３１２）の奥のパスボックス（パスルーム）（３１３）は、資材（台車を含め）を、クリーンの高風圧で除塵する装置である。その奥の、前室（３１４）は、クリーン環境の隔壁であるが、資材の多重包装の内の一般環境対応包装の除去を行う。
【００６９】
管理廊下（３０７）を移送された資材は、パスボックス（３１５）より医薬容器製造室（３１０）に供給される。
医薬容器製造室（３１０）内の洗浄装置（３１６）は、医薬容器を構成する部品などの資材の洗浄を行う装置で、クラス１００のクリーン環境管理される。また、滅菌装置（３１７）は、資材の滅菌を行う装置で、クラス１００のクリーン環境管理される。医薬容器組立装置（３１８）は、医薬容器の組み立て及び一次包装を行う装置で、クラス１００のクリーン環境管理される。
【００７０】
パスボックス（３１５）は、管理廊下（３０７）と医薬容器製造室（３１０）の間で資材及び製品を受け渡す中継ボックスである。パスボックス（３１９）は品質検査を行う抜き取り製品を医薬容器製造室（３１０）から品質検査室（３２１）へ受け渡す中継ボックスである。よって２つのパスボックスはクリーン環境を乱さない障壁となる。
【００７１】
管理廊下（３０７）に面して外側には梱包・保管室（３２０）が設けられ、運送（室外）対応までの梱包作業（箱詰め等）を行い、完成製品を一時保管する。
玄関ホール（３０５）の横には事務室（３２２）が設けられる。
【００７２】
（２）放射性医薬品製造工場（３０２）
放射性医薬品製造工場（３０２）において、人員の入退出口（３２３）を入ると、玄関ホール（３２４）の奥に、施設内専用の下足に履き替える下足室（３２５）が設けられ、更に奥に、施設内専用の作業衣（白衣  等）に着替える更衣室（３２６）があり、更に奥の汚染検査室（３２７）で、放射線汚染の検査（退出時）を行う。汚染検査室（３２７）に隣接して除洗室（３２８）が配置され、シャワー（水洗）などで、汚染が検出された際の除洗を行う。
【００７３】
汚染検査室（３２７）を出ると管理廊下（３２９）に続く。管理廊下（３２９）は、クラス１００，０００程度のクリーン環境管理され、人員・資材・製品が通過する。
【００７４】
管理廊下（３２９）に面する更衣室（３３０）では、放射性医薬品製造環境適応の作業衣（無塵衣）及び専用靴を装着（クリーン環境）する。その奥のエアーシャワー（３３１）では、作業者の付着塵埃が除去される。
【００７５】
放射性医薬品製造室（３３２）がこの実施形態で言うクリーンルームであり、クラス１０，０００程度のクリーン環境管理され、放射性医薬品の製造装置の運用に適した周辺環境となっている。
入出庫口（３３３）から資材・製品の入出庫が行われ、その奥の除塵室（３３４）で、資材の外周梱包材（ダンボール箱等）の除去を含む、付着塵埃の除去を行う。入出庫口（３３３）の屋内と野外の2つの扉は同時開放せず、クリーン環境の隔壁となる。除塵室（３３４）の奥のパスボックス（パスルーム）（３３５）は、資材（台車を含め）をクリーンの高風圧で除塵する装置である。
【００７６】
その更に奥の前室（３３６）は、クリーン環境の隔壁であるが、資材の一般環境対応包装の除去を行う。
【００７７】
管理廊下（３２９）に面するパスボックス（３３７）は、管理廊下（３２９）及び放射性医薬品製造室（３３２）の間で放射性医薬品及び放射性医薬品原料を充填する各容器や間接容器などの資材及び完成した製品を受け渡す中継ボックスであり、クリーン環境の隔壁となる。
この実施形態で言うクリーンルームとなる放射性医薬品製造室（３３２）内には、この実施形態に係る放射性医薬品製造システム（３００）（図２参照）が収納され、放射性医薬品原料の合成から輸送容器（間接容器）の組み立ての一連の工程をクラス１００のクリーン環境管理された中で行う。
【００７８】
管理廊下（３２９）を通った先の梱包室（３３９）は、輸送（室外）対応までの梱包作業（パレット積み等）を行う。
放射性医薬品製造室（３３２）の他のパスボックス（３３８）は、製品よりの抜き取りを行い、次の品質検査室（３４０）へ受け渡す中継ボックスで、クリーン環境の隔壁となる。
品質検査室（３４０）は、製品品質の検査を行う。
玄関ホール（３２４）には事務室（３４１）が隣接する。
前室（３４２）は、野外に対してのクリーン環境の隔離が主目的（クリーン環境）である。前室（３４２）の非常口（３４３）は、緊急避難や施設メンテナンスの際のみ開閉する扉である。
【００７９】
サイクロトロン電気室（３４４）は、サイクロトロン（２２）を制御する電気制御盤や操作卓等を収納する。サイクロトロン室（３４５）は、サイクロトロン２２を収納する、放射線遮蔽壁に囲まれた部屋であり、サイクロトロン（２２）の準備およびメンテナンス等を行う場合は、移動遮蔽扉（３４６）を開閉し、サイクロトロン室（３４５）へ入退出する。床下ピット（３４７）は、サイクロトロン（２２）と合成装置７（図３）を結び、放射性薬液の搬送を行う。
【００８０】
（全体製造フロー）
次に図８に示すように、図２の装置における放射性医薬品の製造工程は、９つに分けられる。
すなわち、まず、サイクロトロンで製造された放射性同位元素と、医薬品原料（試薬）とを基にして、放射性医薬品原料を１バルク分量合成する（Ｓ１）。次に、この１バルク分量の放射性医薬品原料の液容量および放射能量の計測を行う（Ｓ２）。そして、放射性医薬品原料の１バルク分量を必要な濃度に希釈し、予備調製する（Ｓ３）。予備調製後の放射性医薬品を一部分注して１製品分量とし、液量と放射能量を計測する（Ｓ４）。既に無菌処理され外部から搬入された製品用バイアル瓶セットが、供給される（Ｓ５）。供給された製品用バイアル瓶セットへの放射性医薬品の１製品分量を連続充填し、放射能量を計測し、外観の検査を行う（Ｓ６）。そして、間接容器の本体と蓋が供給され（Ｓ７）（Ｓ８）、１製品分量の放射性医薬品が充填された製品用バイアル瓶を間接容器へ組み込み（Ｓ９）。
【００８１】
（詳細な製造フロー）
図８の全体フロー図の中に示される各ステップ（Ｓ）の詳細内容を、図９Ａから図９Ｅに図示し、図２を参照して説明する。
各ステップの図において、左右中央に主幹工程を示し、右に副工程を示す。また、左には工程に必要な装置や資材を示し、左端には工程が行われるキャビネット名や外設機器を示す。矢印のうち、一点鎖線の矢印は放射性医薬品及び放射性医薬品原料などの液体がチューブ（Ｔ１）、（Ｔ２）、（Ｔ３）、（Ｔ４）、（Ｔ５）、（Ｔ６）、（Ｔ７）、（Ｔ８）、（Ｔ９）内をガスにより押し出されて搬送されることを示す。また、実線の矢印は容器（１７，１８，１９，２０，２４）が搬送されることを示す。この一連の設備及び資材は、放射性医薬品製造工場（３０２）内のクリーンルームである放射性医薬品製造室（３３２）内に設けられる。
【００８２】
（Ｓ１）
Ｓ１では、サイクロトロン（２２）で放射性同位元素を製造し、これをもとに医薬品原料（試薬）とともに、放射性医薬品原料を合成する。一度に合成される分量を１バルクという。
すなわち、別室に設置されたサイクロトロン（２２）にて放射性同位元素を製造し（Ｓ１１）、液体として、無塵及び無菌環境を形成する試薬合成キャビネット（１）の床下ピット（３４７）に配置されたチューブ（Ｔ１）（ステンレス製）を通して、試薬合成キャビネット（１）内の合成装置（６）へ配送する。また、試薬合成キャビネット（１）内に収納の試薬装置（５）にて、合成に必要な試薬を自動にて定量し、チューブ（Ｔ２）にて合成装置（６）へ配送する（Ｓ１２）。そして、合成装置（６）にて、放射性同位元素と試薬を原料として、化学合成により放射性医薬品原料を合成する（Ｓ１３）。
【００８３】
その間、バイアルパスユニット（４）を使用し、バルクキャビネット（２）内へバルク用容器（１７）及び予備調製検証用容器（１９）を所定位置（専用シールドの中）へ手で挿入する（Ｓ１４）。尚、各容器（１７）、（１９）はバイアルパスユニット（４）内で最終包装から取り出す。
【００８４】
（Ｓ２）
Ｓ２では、合成完了後に、合成装置（６）に接続され、バルクキャビネット（２）内に配置されるバルク測定装置（７）の一部である充填装置（７a）へ接続されたチューブ（Ｔ３）を通して、合成された放射性医薬品原料の１バルク分がバルク用容器（１７）へ充填（配送）し、液容量および放射能量の計測がされる（図５参照）。
【００８５】
すなわち、合成完了前に合成装置（６）からチューブ（Ｔ３）によって連通する充填装置（７a）のチューブ（Ｔ４）に設けられた針（７ａ１）（図5参照）を、バルク用容器（１７）へ穿刺して接続する。放射性医薬品原料は、ガス圧送にてキャビネット（１，２）間をチューブ（Ｔ３、Ｔ４）で搬送され、バルク用遮蔽体（７ｈ）内に収納したバルク用容器（１７）内に充填され（Ｓ２１）、充填終了後は充填装置（７ａ）の駆動による接続流路である針（７ａ１）が外される。
【００８６】
充填後のバルク用容器（１７）を、容器搬送装置（７ｂ）にて搬送し、液容量を電子天秤（７ｃ）にて計測し（Ｓ２２）、再び容器搬送装置（７ｂ）にて搬送し、放射能量を、放射能量計測装置の一実施形態であるドーズキャリブレーター（７ｄ）にて計測する（Ｓ２３）。
更に、バルク用容器（１７）をシールド搬送装置（７ｇ）にて搬送し、チューブ（Ｔ５）に設けられた針を穿刺することで抽出装置（７ｅ）を介して抽出流路であるチューブ（Ｔ６）を接続し（Ｓ２４）、バルク用容器１７内の放射性医薬品原料を予備調製用容器（１８）へ、キャビネット（２．３）間をチューブ（Ｔ５、Ｔ６）で、搬送する。
【００８７】
（Ｓ３）
Ｓ３では、１バルク分量を必要な濃度に希釈し、予備調製する。
あらかじめバイアルパスユニット（４）を使用し、製造キャビネット（３）内に予備調製用容器（１８）及び製品用バイアル瓶（２０）セットを指定位置（専用シールドの中）へ手で挿入する（Ｓ３１）。尚、各容器はバイアルパスユニット（４）内で最終包装から取り出す。製品用バイアル瓶（２０）はバイアルトレイ（９ｄ）で供給する。
【００８８】
予備調製は、製造キャビネット（３）内の予備調製用容器（１８）内で行う。まず、前述したようにバルク用容器（１７）が穿刺により輸送用チューブ（Ｔ５、Ｔ６）を介して予備調製用容器（１８）へ接続され（Ｓ３２）、放射性医薬品原料は予備調製用容器（１８）へ真空ポンプを接続して吸引される。放射性医薬品原料はこの吸引によりキャビネット（２，３）間をチューブ（Ｔ５、Ｔ６）で搬送され予備調製用容器（１８）へ充填される（Ｓ３３）。
【００８９】
次に、予備調製用容器（１８）へ予備調製溶剤を充填する（Ｓ３４）。すなわち、予備調製溶剤用容器（２４）を製造キャビネット（３）内に入れ、予備調製用容器（１８）へとチューブ（Ｔ７）で穿刺により接続し、前記と同様に予備調製用容器（１８）へ真空ポンプにて吸引する。攪拌は、チューブ（Ｔ８）により接続される分注装置（８）を利用して行われ、予備調製用容器（１８）に接続されている分注装置（８）により、予備調製用容器（１８）内部の放射性医薬品原料を抽出したり戻したりすることで行われる。分注装置（８）は本来、製品用バイアル瓶（２０）への薬液の分注に用いるものであるが、ここでは予備調製の攪拌に利用する。このようにして予備調製がなされる。
【００９０】
なお、後述する２次の調製において、充填する予備調製溶剤の液量は、計測結果により算出する。予備調製溶剤の供給は、真空ポンプによる吸引によって行われる。
【００９１】
（Ｓ４）
Ｓ４では、予備調製の検証は、前述したＳ２のバルク測定と同じ装置を兼用するためバルクキャビネット（２）にて行なう。すなわち、予備調製後の放射性医薬品を、分注装置（８）にて１製品分量を製品用バイアル瓶（２０）と同じ容量の予備調製検証用容器（１９）へ充填し、液量と放射能量を計測する。
【００９２】
まず、予備調製用容器（１８）に接続された分注装置（８）からの輸送用チューブ（Ｔ９）を、バルクキャビネット（２）内の予備調製検証用容器（１９）へ、穿刺接続する。そして、予備調製用容器（１８）から１製品分量の予備調製済みの放射性医薬品を、予備調製検証用容器（１９）へチューブ（Ｔ８、Ｔ９）内輸送にて分注（充填）する（Ｓ４１）。
【００９３】
分注装置（８）は本来、製品用バイアル瓶（２０）への放射性医薬品の分注に用いるものであるが、ここで、予備調製検証用容器（１９）への充填に利用する。
充填が完了した後、予備調製検証用容器（１９）を各測定器へ搬送して各計測をおこない予備調製の結果を検証する。すなわち、予備調製検証用容器（１９）を容器搬送装置（７ｂ）にて搬送し、電子天秤（７ｃ）で液量を計測し（Ｓ４２）、更に容器搬送装置（７ｂ）にて搬送し、放射能量計測装置の一実施形態であるドーズキャリブレーター（７ｄ）にて放射能量を計測する（Ｓ４３）。
【００９４】
予備調製検証の結果でさらに調製を要する場合は、Ｓ３４まで戻って、２次の調製を行う（Ｓ４４）。
【００９５】
（Ｓ５）
Ｓ５では、既に無菌処理され外部から搬入された製品用バイアル瓶（２０）セットが、製造キャビネット（３）内に供給される。
すなわち、図７で示したように、第五段階の梱包状態で準備室に運び込まれたバイアル瓶（２０）セットは、ダンボールから出され、更に第３のビニール袋が除かれ、第三段階の状態でクリーンルームである放射性医薬品製造室（３３２）内に運び込まれる（Ｓ５１）。その後に、放射性医薬品製造室（３３２）内で第２のビニール袋が除かれて第二段階となって、バイアルパスユニット（４）のチャンバー（４ｃ）に入れられる。バイアルパスユニット（４）のチャンバー（４ｃ）内で、手作業で第１のビニール袋が除かれた後に、輸送トレイ（２０８）の上から各バイアル瓶（２０）がバイアルトレイ（９ｄ）の上へ移され、キャップ（２０３ｂ）が外され、これによりバイアル瓶（２０）はバイアルトレイ（９ｄ）上で、放射性医薬品の充填環境の最終状態となる（Ｓ５２）。
【００９６】
そして、バイアルパスユニット（４）の連結筒（４ｄ）が移動式キャビネット（４）の例えば右の作業扉（２６）に連結される。バイアルトレイ（９ｄ）上で医薬品充填環境となっているバイアル瓶（２０）セットは、手作業で、連結筒（４ｄ）を通り製造キャビネット（３）内の所定位置にセットされる（Ｓ５３）。作業員Ｍの手は、バイアルパスユニット（４）のチャンバー（４ｃ）の左右側面や背面のビニールカーテン（４ｆ）からチャンバー（４ｃ）内へ入れられ、また、製造キャビネット（３）の例えば左の作業扉（２７）から入れられ、作業員Ｍは鉛ガラス窓（２８）から製造キャビネット（３）内を見ながら作業する。
【００９７】
（Ｓ６）
Ｓ６では、製品用バイアル瓶（２０）セットを準備し製造キャビネット（３）内のコンベアへ供給した後に、この製品用バイアル瓶（２０）へ予備調製用容器（１８）から予備調製済みの放射性医薬品を充填する。
すなわち連続充填検査装置（９）内のバイアル搬送装置（９a）にてバイアルトレイ（９ｄ）上の製品用バイアル瓶（２０）を１個づつ搬送して、バイアルコンベア（９ｂ）にて所定位置へ移動し（Ｓ６１）、充填装置（９ｃ）へ穿刺接続する。そして予備調製済みの放射性医薬品を、分注装置（８）にて１製品分量を定量分注し、チューブ（Ｔ１０）を介して充填装置（９ｃ）により、製品用バイアル瓶（２０）へ無菌濾過充填する。この充填を各製品用バイアル瓶（２０）へ繰り返し連続して行う（Ｓ６２）。
【００９８】
そして、充填された製品用バイアル瓶の充填放射能量を放射能量センサー（９ｅ）にて計測して判定し（Ｓ６３）、外観（薬液内の異物混入・色相・バイアル瓶の破損・バイアル瓶の貼付表示材料の状態  等）の検査を外観検査補助装置（９ｆ）にて行う（Ｓ６４）。
【００９９】
（Ｓ７）
Ｓ７では、間接容器本体の供給作業を行う。間接容器本体（２３ａ）を間接容器本体搬送台車（１０）を用いて手動で搬送し、製造キャビネット（３）内へ供給する（Ｓ７１）。このとき間接容器本体搬送台車（１０）は台車固定装置（１１ａ）により間接容器本体供給装置（１１）に固定する（Ｓ７２）。そして、本体搬送装置（１１ｂ）により間接容器本体（２３ａ）を搬送し、本体供給コンベア（１１ｃ）により移動する（Ｓ７３）。
【０１００】
（Ｓ８）
Ｓ８では、間接容器蓋（２３ｂ）の供給作業を行う。間接容器蓋（２３ｂ）を間接容器蓋搬送台車（１２）を用いて手動で搬送し、製造キャビネット（３）内へ供給する（Ｓ８１）。このとき間接容器蓋搬送台車（１２）は台車固定装置（１３ａ）により間接容器蓋供給装置（１３）に固定する（Ｓ８２）。そして、蓋搬送装置（１３ｂ）により間接容器蓋（２３ｂ）を搬送し、蓋供給コンベア（１３ｃ）により移動する（Ｓ８３）。
【０１０１】
（Ｓ９）
Ｓ９では、所定の濃度に予備調製された放射性医薬品が充填された製品用バイアル瓶（２０）を、放射線を遮蔽する遮蔽材からなる間接容器（２３）に、挿入し組み込む。
【０１０２】
製造キャビネット（３）内に配置された間接容器製造装置（１４）を構成する本体供給装置（１４ａ）にて供給（Ｓ９１）された間接容器本体（２３ａ）へ、製品用バイアル瓶（２０）をバイアル移送装置（１４ｂ）にて移送し挿入する（Ｓ９２）。その後、容器組立コンベア（１４ｃ）にて移動し、蓋供給装置（１４ｄ）にて間接容器蓋（２３ｂ）を組込む（Ｓ９３）。
【０１０３】
組立てられた間接容器（２３）に関しては、間接容器内に遮蔽材（鉛）が入っていること、及び、間接容器本体（２３a）と間接容器蓋（２３b）が確実に閉まっていることを確認し、表示材料貼付装置（１５）にて表示材料（１６）を貼付して（Ｓ９４）搬送装置（コンベア）（２１a）へ排出する。
【０１０４】
「実施形態の効果」
（１）従来技術（１）では洗浄装置等を含む医薬容器製造装置を放射性医薬品製造拠点毎に設けねばならず、この医薬容器製造装置から搬出される医薬容器は外部環境に触れると再び汚染するので、放射性医薬品が存在する無塵，無菌環境を形成する遮蔽体（キャビネット）内部に洗浄，滅菌装置を設ける必要がある。一般的に洗浄，滅菌装置は大規模になるので、重量物である遮蔽体（キャビネット）全体、つまり放射性医薬品製造システム（３００）全体も大型化してしまう。
【０１０５】
これに対し、この実施形態では、図示しない別の場所に医薬容器製造装置を集約でき、複数の本システムに必要な医薬容器の製造作業を分離し、製造拠点に設けられる本システムをコンパクトにできる。
（２）また、従来技術（２）では洗浄，滅菌装置を放射性医薬品製造システム内に設ける必要はないものの、洗浄，滅菌処理し搬入した栓なしのバイアル瓶へ薬液を充填し、その後に、ゴム栓をしてアルミの枠を取り付けて密封され製品化することになる場合に、その取付作業は、やはり放射性医薬品が存在する無塵，無菌環境内で行わなければならない。その作業に必要な装置や作業スペースが必要となり、重量物である遮蔽体（キャビネット）全体、つまり放射性医薬品製造システムも大型化してしまう。
【０１０６】
さらに、栓なしのバイアル瓶の内部を装置内の空気にさらすことになり、装置内のクリーン度を高くしなければならない。
これに対し、この実施形態では、ゴム栓をしてアルミの枠を取り付けゴム栓をしてアルミの枠を取り付けて密封される作業を、放射性医薬品製造システム内で行う必要がない。よって、その作業に必要な装置や作業スペースが必要なく、したがって重量物である遮蔽体（キャビネット）全体、つまり放射性医薬品製造システム全体を大型化してしまうことを防げる。
【０１０７】
また、バイアル瓶は栓が設けられた状態で充填作業などが行われ、バイアル瓶の内部を装置内の空気にさらすことがなく、装置内のクリーン度をそれほど高くする必要がない。
（３）更に、この実施形態の製品用バイアル瓶（２０）のゴム栓（２０２）には穿刺の後が残るが、輸送容器である間接容器のセキュリティー機構によって密封されるので、改ざんを疑われる可能性は無くせる。
【０１０８】
（４）ゴム栓には穿刺が行われるが、再封性は十分であることが、実験で証明されている（特開２００１−９９７４５）ので、液漏れなどの問題はない。
（５）所定期間、例えば一日内に放射性医薬品原料を合成するバルク回数分の各装置および各チューブを、あらかじめ遮蔽体の無菌室に準備し、バルク毎に切り換えて使用することで、各装置および各チューブの取り換えに伴うシステム運転の休止が無用になり、被曝の低減となり、運転の効率もよくなる。
【０１０９】
（６）医薬容器のうち製品用バイアル瓶（２０）を除く他のバルク用容器（１７），予備調製用容器（１８），予備調製検証用容器（１９），予備調製溶剤用容器（２４）に関しても、洗浄して閉じた容器を穿刺接続して用いることで、放射性医薬品製造システムの製造コストを安くできる。仮に、チューブと一体化した閉じた専用の容器を用いる場合には、この専用容器の開発費、さらに、充填装置、抽出装置、分注装置との接続装置の開発費が必要になってしまう。
【０１１０】
（７）バルク測定装置（７）は予備調製測定装置を兼ねるので、バルク測定装置（７）とは別に予備調製測定装置を設ける場合にくらべ、装置の重複が避けられ、システムの製造コストを抑えられる。
すなわち、バルク用容器（１７）と予備調製検証用容器（１９）の液容量と放射能量を計測するのに、同じ電子天秤（７ｃ）と、放射能量計測装置の一実施形態としてのドーズキャリブレーター（７ｄ）と、容器搬送装置（７ｂ）と、を兼用するので、装置コストが抑えられる。
【０１１１】
（８）また、包装された製品用バイアル瓶（２０）セットの最終包装を解くのに、キャビネット（３）に必要時に連結し、未使用時は分離除去することが出来るバイアルパスユニット（４）を用いるので、以下の効果が得られる。
すなわち仮にバイアルパスユニット（４）を用いないとすると、製造キャビネット（３）に対し隣接する作業室が必要となる。そして、前記の作業スペースおよび、梱包を解く際の塵埃の拡散の防止のためシャッター等による隔壁を有した作業室の分離が必要あるため、その機構やスペースを確保する必要がある。しかし、バイアルパスユニット（４）を用いることで、その作業室の必要が無くなるので放射性医薬品製造システムの大きさを小さくでき、機動性に優れ作業能率が上がる。
【０１１２】
（９）予備調製時の攪拌は、予備調製用容器（１８）へチューブ（Ｔ８）により接続される分注装置（８）を利用して溶液を抽出したり戻したりすることで行われるので、攪拌用の専用装置を用いる場合に比べ、装置の一部を省くことができ、システムの製造コストを抑えられる。
（１０）予備調製用容器（１８）から予備調製検証用容器（１９）への輸送は、分注装置（８）を利用して行うので、この輸送用の専用装置を用いる場合に比べ、装置の一部を省くことができ、システムの製造コストを抑えられる。
【０１１３】
（１１）キャビネット（１，２，３）を複数個独立して配置する場合に比べ、キャビネット（１，２，３）を互いに隣接させることで、隣接する面における遮蔽材は無用になり、省略できる。あるいは、隣接する面における遮蔽材を薄くできるの。よって、キャビネット（１，２，３）の重量を軽くできる。
【０１１４】
「他の実施形態」
（１）  以上の実施形態では、バルク毎にシステム運転を休止し、１セットの各装置および各チューブをあらためて搬入し準備するものであったが、他の実施形態では、バルク回数に対応した複数セットの各装置および各チューブをあらかじめ準備し接続しておくことで、バルク毎にこの接続を切り替えれば、運転を休止する必要がなくなる。
【０１１５】
（２）  以上の実施形態では、バイアルパスユニット（４）が製造キャビネット（３）に連結されることで製品用バイアル瓶（２０）セットが製造キャビネット（３）へ供給されたが、他の実施形態では、バイアルパスユニット（４）のチャンバー（４ｃ）と同様に内部で手作業をするための作業室を、キャビネットに接して設けることで、供給を行うこともできる。
【０１１６】
この場合に、作業者は、この作業室内へ、第二段階のバイアル瓶（２０）セットを持ち込み、手作業で第１のビニール袋を除き、キャップ（２０３ｂ）を外し、トレイ上で最終状態となったバイアル瓶（２０）セットを、キャビネットの作業扉を開けて、キャビネット内の所定位置にセットする。この作業室は、バイアルパスユニット（４）のチャンバー（４ｃ）と同様に、クリーン度はＩＳＯ基準のクラス１００で、空調状態は陽圧とする。
【０１１７】
（３）  以上の実施形態では、装置内で使用する容器として、バルク用容器（１７），予備調製用容器（１８），予備調製検証用容器（１９），予備調製溶剤用容器（２４）として穿刺接続して使用したが、他の実施形態では、チューブと一体化した専用の容器を用いることも可能である。
（４）  以上の実施形態では、バルク測定装置（７）は予備調製測定装置を兼ねるものであったが、他の実施形態では、バルク測定装置（７）とは別に予備調製測定装置を設けるものであってもよい。
【０１１８】
（５）以上の実施形態では、予備調製時の攪拌は、分注装置（８）を利用して行ったが、他の実施形態では、攪拌用の専用装置を用いることもできる。
（６）以上の実施形態では、予備調製用容器（１８）から予備調製検証用容器（１９）への輸送は、分注装置（８）を利用して行ったが、他の実施形態では、輸送用の専用装置を用いることもできる。
（７）以上の実施形態では、キャビネット（１，２，３）を互いに隣接させることで、遮蔽材の一部を省略などしたが、他の実施形態では、キャビネット（１，２，３）を複数個独立して配置することも可能である。
（８）以上の実施形態では、放射性同位元素は、クリーンルームの外部に近接して存在するサイクロトロンから送られるものとして説明したが、他の実施形態で放射性同位元素の半減期が極端には短くない場合には、海外よりの輸入も含め、放射性医薬品製造装置の設置工場以外で製造された放射性物質を運び入れて原料とすることもありうる。
（９）以上の実施形態では、放射性同位元素は、液体であったが、他の実施形態では、気体や固体もあり得る。
【図面の簡単な説明】
【０１１９】
【図１】この発明の一実施形態を示す放射性医薬品製造システムの全体図である。
【図２】図１の要部を示す拡大概略図である。
【図２（２）】図２で従来例として使用されるキャビネットの水平断面図である。
【図２（３）】図２で使用するキャビネットの水平断面図である。
【図２（４）】図２で使用する他の実施例に係るキャビネットの水平断面図である。
【図３】図２で、医薬などの液体がチューブ内をガスにより押し出されて搬送されることを示す配管図である。
【図４】図２で、放射性医薬品を入れる医薬容器、及び医薬容器を入れる間接容器が搬送される軌跡を示す平面図である。
【図４（２）】図４で、製品用バイアル瓶（２０）の処理と運搬の様子を示す模式図である。
【図５】図３でバルク測定装置（７）の一部を示す断面側面図である。
【図６Ａ】図２の実際を示す平面図である。
【図６Ｂ】図６Ａの正面図である。
【図６Ｃ】図６Ａに表されるバイアルパスユニット（４）の側面図である。
【図７】（Ａ）（Ｂ）（Ｃ）（Ｄ）（Ｅ）（Ｆ）は、製品用バイアル瓶（２０）の包装、梱包の段階を示す斜視図である。
【図８】この発明の一実施形態を示す放射性医薬品製造システム（３００）の工程を示す全体フロー図である。
【図９Ａ】図８のステップ１と２を示す部分フロー図である。
【図９Ｂ】図８のステップ３と４を示す部分フロー図である。
【図９Ｃ】図８のステップ５と６を示す部分フロー図である。
【図９Ｄ】図８のステップ７と８を示す部分フロー図である。
【図９Ｅ】図８のステップ９を示す部分フロー図である。
【符号の説明】
【０１２０】
１  試薬合成キャビネット            １a 外殻構造体（鉄板）
１b 遮蔽体（鉛板）                  ２  バルクキャビネット
２a 外殻構造体（鉄板）              ２b 遮蔽体（鉛板）
３  製造キャビネット                ３a 外殻構造体（鉄板）
３b 遮蔽体（鉛板）                  ４  バイアルパスユニット
４a 車輪                            ４b 台車
４c チャンバー                      ４d
連結筒
４e 蓋                              ４f ビニールカーテン
５  試薬装置                        ６  合成装置
７  バルク測定装置                  ７a 充填装置
７b 容器搬送装置                    ７c天秤
７d ドーズキャリブレーター          ７e 抽出装置
７f 充填装置                         ７g シールド搬送装置
７h バルク用遮蔽体                  ７i 予備調製検証用遮蔽体
８  分注装置                        ９  連続充填検査装置
９a バイアル搬送装置                ９b バイアルコンベア
９c 充填装置                        ９d バイアルトレイ
９e 放射能量センサー                ９f 外観検査補助装置
９g 予備調製用遮蔽体              １０  間接容器本体搬送台車
１１  間接容器本体供給装置          １１a 台車固定装置
１１b 本体搬送装置                  １１c 本体供給コンベア
１２  間接容器蓋搬送台車            １３  間接容器蓋供給装置
１３a 台車固定装置                  １３b 蓋搬送装置
１３c 蓋供給コンベア                １４  間接容器製造装置
１４a 本体供給装置                  １４b バイアル移送装置
１４c 容器組立コンベア              １４d 蓋供給装置
１５  表示材料貼付装置              １６  表示材料
１７  バルク用容器                  １８  予備調製用容器
１９  予備調製検証用容器            ２０  製品用バイアル瓶
２１  製品梱包設備                  ２１a 搬送装置（コンベア）
２２  サイクロトロン                ２３  間接容器
２３a 間接容器本体                  ２３b 間接容器蓋
２４  予備調製溶剤用容器            ２５  ＨＥＰＡフィルター
２６  作業扉                        ２７  作業扉
２８  鉛ガラス窓
２０１  ガラス瓶                    ２０２  ゴム栓
２０３a アルミ枠                    ２０３b キャップ
２０４  ビニール袋                  ２０５  ビニール袋
２０６  ビニール袋                  ２０７  ダンボール箱
２０８  輸送トレイ
３００  放射性医薬品製造システム    ３０１  医薬容器製造工場
３０２  放射性医薬品製造工場       
３０３  屋外輸送経路
３０４  入退出口                   
３０５  玄関ホール
３０６  更衣室                      ３０７  管理廊下
３０８  更衣室                      ３０９  エアーシャワー
３１０  医薬容器製造室              ３１１  入出庫口
３１２  除塵室                      ３１３  パスボックス（パスルーム）
３１４  前室                        ３１５  パスボックス
３１６  洗浄装置                    ３１７  滅菌装置
３１８  医薬容器組立装置            ３１９  パスボックス
３２０  梱包・保管室                ３２１  品質検査室
３２２  事務室                      ３２３  入退出口
３２４  玄関ホール                  ３２５  下足室
３２６  更衣室                      ３２７  汚染検査室
３２８  除洗室                      ３２９  管理廊下
３３０  更衣室                      ３３１  エアーシャワー
３３２  放射性医薬品製造室          ３３３  入出庫口
３３４  除塵室                      ３３５  パスボックス（パスルーム）
３３６  前室                        ３３７  パスボックス
３３８  パスボックス                ３３９  梱包室
３４０  品質検査室                  ３４１  事務室
３４２  前室                        ３４３  非常口
３４４  サイクロトロン電気室        ３４５  サイクロトロン室
３４６  移動遮蔽扉                  ３４７  床下ピット
Ｆ１  空調装置（キャビネット用）    Ｆ２  空調装置（バイアルパスユニット用）
Ｔ１〜Ｔ１０  チューブ
【図１】
2006288523.tif 000003
【図２】
2006288523.tif 000004
【図２（２）】
2006288523.tif 000005
【図２（３）】
2006288523.tif 000006
【図２（４）】
2006288523.tif 000007
【図３】
2006288523.tif 000008
【図４】
2006288523.tif 000009
【図４（２）】
2006288523.tif 000010
【図５】
2006288523.tif 000011
【図６Ａ】
2006288523.tif 000012
【図６Ｂ】
2006288523.tif 000013
【図６Ｃ】
2006288523.tif 000014
【図７】
2006288523.tif 000015
【図８】
2006288523.tif 000016
【図９Ａ】
2006288523.tif 000017
【図９Ｂ】
2006288523.tif 000018
【図９Ｃ】
2006288523.tif 000019
【図９Ｄ】
2006288523.tif 000020
【図９Ｅ】
2006288523.tif 000021